【手続補正書】
【提出日】令和1年7月1日(2019.7.1)
【手続補正１】
【補正対象書類名】明細書
【補正対象項目名】００６８
【補正方法】変更
【補正の内容】
【００６８】
ロータ１００はステータ２００の内側に配置される。ロータ１００は操向軸の入力軸と連結される、ここで、入力軸とは、車両のハンドルと連結された操向軸であり得る。ロータ１００は円筒形のヨーク１１０とヨーク１１０に配置されるマグネット１２０を含むことができる。ヨーク１１０の内側に入力軸が挿入される。そして、ヨーク１１０の外側にマグネット１２０が配置され得る。マグネット１２０は、ヨーク１１０の外周面に接着固定されるか圧入固定され得る。
【手続補正２】
【補正対象書類名】明細書
【補正対象項目名】００７６
【補正方法】変更
【補正の内容】
【００７６】
ハウジング４００の前面４００Ａとは、ハウジング４００が電子制御装置のハウジングに配置される時、ステータ２００と向かい合う面を意味し、ハウジング４００の後面４００Ｂは前面４００Ａの反対方向に位置し、基板３２０が挿入されるスロット４１０の入口が位置する。スロット４１０の入口の両側にはガイド４１１がそれぞれ配置され得る。ガイド４１１には基板３２０の両側のエッジが挿入される。基板３２０はガイド４１１に沿ってスロット４１０に挿入される。基板３２０がスロット４１０に挿入された状態でコネクター３２２はハウジング４００の外部に位置する。ハウジング４００には電子制御装置のハウジングと結合する複数個の締結部４１２が設けられ得る。
【手続補正３】
【補正対象書類名】明細書
【補正対象項目名】００７８
【補正方法】変更
【補正の内容】
【００７８】
図３および図４を参照すると、ハウジング４００の前面４００Ａは曲面部４２０と平面部４３０を含むことができる。曲面部４２０の曲率半径Ｒ１は、少なくともステータトゥース２１０の半径方向Ｒ２より大きくてもよい。曲面部４２０の両側にはそれぞれ平面部４３０が配置される。平面部４３０には、複数個の締結突起４４０が配置され得る。締結突起４４０はコレクタ３１０と結合する。
【手続補正４】
【補正対象書類名】明細書
【補正対象項目名】００８６
【補正方法】変更
【補正の内容】
【００８６】
図８を参照すると、溝２２１に突起４５０が結合されると、ロータ１００の軸方向を基準として、ステータトゥース２１０とコレクタ３１０が整列する。したがって、ステータ２００とセンサ組立体３００が別物に配置されるトルクセンサにおいて、実施例に係るトルクセンサはトルク性能を高めることができる利点がある。
【手続補正５】
【補正対象書類名】特許請求の範囲
【補正対象項目名】全文
【補正方法】変更
【補正の内容】
【特許請求の範囲】
【請求項１】
ロータ；
前記ロータの外側に配置されるステータ；
前記ロータと前記ステータの間で発生した磁場を測定するセンサ組立体；および
前記センサ組立体はハウジングを含み、
前記ロータおよび前記ステータは前記ハウジングの外部に配置され、
前記センサ組立体は前記ハウジングの内部に配置され、
前記ロータの軸方向を基準として、前記ハウジングと前記ステータの位置を整列させる整列手段を含み、
前記整列手段は前記ハウジングおよび前記ステータのうち少なくともいずれか一つに配置され、
前記整列手段は、前記ステータに配置される溝と、前記ハウジングに配置されて前記溝に位置する突起を含み、
前記ハウジングは前記ステータに向かう前面を含み、前記前面は曲面部を含み、前記突起は前記曲面部から突出され得る、トルクセンサ。
【請求項２】
前記コレクタは上部コレクタと下部コレクタを含み、前記突起は前記ロータの軸方向を基準として、前記上部コレクタと前記下部コレクタの間に配置され得る、請求項１に記載のトルクセンサ。
【請求項３】
前記ステータはモールド部材と前記モールド部材に固定されるステータトゥースを含み、
前記溝は前記モールド部材に配置される、請求項２に記載のトルクセンサ。
【請求項４】
トルクセンサ；および
前記トルクセンサと連結される電子制御装置を含み、
前記トルクセンサは、
ロータ；
前記ロータの外側に配置されるステータ；および
前記ロータと前記ステータの間で発生した磁場を測定するセンサ組立体；
ハウジングを含み、
前記ロータおよび前記ステータは前記ハウジングの外部に配置され、
前記センサ組立体は前記ハウジングの内部に配置され、
前記ロータの軸方向を基準として、前記ハウジングと前記ステータの位置を整列させる整列手段を含み、
前記整列手段は前記ハウジングおよび前記ステータのうち少なくともいずれか一つに配置され、
前記整列手段は、前記ステータに配置される溝と、前記ハウジングに配置されて前記溝に位置する突起を含み、
前記ハウジングは前記ステータに向かう前面を含み、前記前面は曲面部を含み、前記突起は前記曲面部から突出され得る、操向装置。
【請求項５】
ロータ；
前記ロータの外側に配置されるステータ；および
前記ロータと前記ステータの間で発生した磁場を測定するセンサ組立体；
前記センサ組立体はハウジングを含み、
前記ロータおよび前記ステータは前記ハウジングの外部に配置され、
前記ハウジングは前記ステータに向かう前面と前記前面の反対に位置する後面を含み、
前記ハウジングは前記後面から前記前面を貫通して前記センサ組立体の基板が挿入されるスロットを含み、
前記スロットは、前記スロットの内側壁に配置される第１係止部を含み、
前記基板は、前記基板の両側面に配置されて前記基板の挿入方向に前記第１係止部に係止されるように配置される第２係止部を含み、
前記基板は、前記第２係止部の後方に配置され、前記スロットの入口に接触するストッパーを含む、トルクセンサ。
【請求項６】
前記第１係止部は段を含み、前記第２係止部は前記段に係止される突起を含む、請求項５に記載のトルクセンサ。
【請求項７】
トルクセンサ；および
前記トルクセンサと連結される電子制御装置を含み、
前記トルクセンサは、
ロータ；
前記ロータの外側に配置されるステータ；および
前記ロータと前記ステータの間で発生した磁場を測定するセンサ組立体を含み、
前記センサ組立体はハウジングを含み、
前記ロータおよび前記ステータは前記ハウジングの外部に配置され、
前記ハウジングは前記ステータに向かう前面と前記前面の反対に位置する後面を含み、
前記ハウジングは前記後面から前記前面を貫通して前記センサ組立体の基板が挿入されるスロットを含み、
前記スロットは、前記スロットの内側壁に配置される第１係止部を含み、
前記基板は、前記基板の両側面に配置されて前記基板の挿入方向に前記第１係止部に係止されるように配置される第２係止部を含み、
前記基板は、前記第２係止部の後方に配置され、前記スロットの入口に接触するストッパーを含む、操向装置。
【請求項８】
ロータ；
前記ロータの外側に配置されるステータ；および
前記ロータと前記ステータの間で発生した磁場を測定するセンサ組立体を含み、
前記センサ組立体はハウジングを含み、
前記ロータおよび前記ステータは前記ハウジングの外部に配置され、
前記ハウジングはコレクタとバックヨークを含み、
前記ロータおよび前記ステータは前記コレクタの前方に配置され、前記バックヨークは前記コレクタの後方に配置され、
前記ハウジングは前記ステータに向かう前面と前記前面の反対に位置する後面を含み、前記ハウジングは前記後面から前記前面を貫通して前記センサ組立体の基板が挿入されるスロットと前記基板が挿入されるガイドを含み、
前記バックヨークは前記スロットと整列配置されて前記基板が貫通する第１ホールと前記ガイドが貫通する第２ホールを含む、トルクセンサ。
【請求項９】
前記ハウジングは前記後面で凹むように配置されて前記バックヨークを収容するバックヨーク収容部を含む、請求項８に記載のトルクセンサ。
【請求項１０】
トルクセンサ；および
前記トルクセンサと連結される電子制御装置を含み、
前記トルクセンサは、
ロータ；
前記ロータの外側に配置されるステータ；および
前記ロータと前記ステータの間で発生した磁場を測定するセンサ組立体を含み、
前記センサ組立体はハウジングを含み、
前記ロータおよび前記ステータは前記ハウジングの外部に配置され、
前記ハウジングはコレクタとバックヨークを含み、
前記ロータおよび前記ステータは前記コレクタの前方に配置され、前記バックヨークは前記コレクタの後方に配置され、
前記ハウジングは前記ステータに向かう前面と前記前面の反対に位置する後面を含み、前記ハウジングは前記後面から前記前面を貫通して前記センサ組立体の基板が挿入されるスロットと前記基板が挿入されるガイドを含み、
前記バックヨークは前記スロットと整列配置されて前記基板が貫通する第１ホールと前記ガイドが貫通する第２ホールを含む、操向装置。